(57)【要約】送信機では、符号化されたマルチメディアデータと一様な誤り訂正データからなる標準的なストリームは、第一のチャネルを通して送信される。一様な誤り訂正データは、符号化されたマルチメディアデータの全ての部分について実質的に同じ誤り訂正を提供する。同時に、標準的なストリームの重要な部分について更なる不均等な誤り訂正データが生成され、標準的なストリームの他の部分については生成されず、更なる誤り訂正データは第二のチャネルを通して送信される。受信機では、更なる誤り訂正データが使用され、標準的なストリームの重要な部分に対して誤り訂正が行われ、次いで、一様な誤り訂正データが使用され、標準的なストリームの符号化されたマルチメディアデータの全ての部分に対して誤り訂正が行われる。
2007507966.tif 000002
【特許請求の範囲】
【請求項１】
符号化されたマルチメディアデータと、該符号化されたマルチメディアデータに誤り訂正をなす一様な誤り訂正データであって、前記符号化されたマルチメディアデータのそれぞれの部分について実質的に同じ誤り訂正を提供する標準的な一様な誤り訂正データとを含む標準的なマルチメディアデータストリームを供給するステップと、
更なる不均等な誤り訂正のため、前記マルチメディアデータのプレゼンテーションの品質に対する前記ストリーム部分に含まれるデータタイプの重要性に依存して、前記標準的なマルチメディアデータストリームのあるストリーム部分を選択し、前記マルチメディアデータストリームの他のストリーム部分を選択しないステップと、
前記更なる不均等な誤り訂正についてどのストリーム部分が選択されたかを示すセレクションマップデータを生成するステップと、
対応する選択されたストリーム部分について更なる不均等な誤り訂正データを生成し、選択されていない他のストリームについて生成しないステップと、
前記標準的なマルチメディアデータストリームを前記一様な誤り訂正データとともに第一のチャネルで伝送する第一の伝送ステップと、
前記セレクションマップデータと前記更なる不均等な誤り訂正データを含むエンハンスメントデータを、前記第一のチャネルとは異なる第二のチャネルで伝送する第二の伝送ステップとを含み、
前記選択されたストリーム部分について、一様な誤り訂正データと更なる不均等な誤り訂正データの両者が伝送され、前記他のストリーム部分について、一様な誤り訂正データのみが伝送される、
ことを特徴とする方法。
【請求項２】
前記標準的なストリームを供給するステップは、
未処理のマルチメディアデータを供給するステップと、
前記未処理のマルチメディアデータを符号化して、符号化されたマルチメディアデータを供給するステップと、
前記符号化されたマルチメディアデータについて、前記符号化されたマルチメディアデータの全ての部分について実質的に同じ誤り訂正のロバスト性を提供する一様な誤り訂正データを生成するステップと、
それぞれの標準的なフレームが前記符号化されたマルチメディアデータの固定されたサイズの部分と該部分に続く一様な誤り訂正データの固定されたサイズの部分とを含む、連続的な標準的な伝送フレームからなる前記標準的なマルチメディアデータストリームを生成するステップと、
を含む請求項１記載の方法。
【請求項３】
前記符号化されたマルチメディアデータはエレメンタリストリームパケットを含み、
前記パケットは、パケットヘッダとパケットデータ部分をそれぞれ含み、
前記パケットは、ビデオパケットとオーディオパケットを含み、前記ビデオパケットの前記パケットデータ部分はビデオデータを含み、前記オーディオパケットの前記パケットデータ部分はオーディオパケットを含み、
それぞれ標準的な伝送フレームは、前記同じ標準的なフレームに含まれる符号化されたマルチメディアデータに誤り訂正をなすために生成される一様な誤り訂正データを含み、
前記一様な誤り訂正データは、ＦＥＣ（Forward Error Correction）データを含み、
前記標準的なマルチメディアデータストリームは、ＡＴＳＣ  ＤＴＶ規格又はＤＶＢ規格に準拠する、
請求項２記載の方法。
【請求項４】
当該方法は、前記エンハンスメントデータの全てについて実質的に同じ一様な誤り訂正を提供する、前記エンハンスメントデータに誤り訂正をなすための第三の誤り訂正データを生成するステップを更に含み、
前記第二に伝送するステップは、前記第三の誤り訂正データを前記エンハンスメントデータと前記第二のチャネルを通して伝送するステップを含む、
請求項１記載の方法。
【請求項５】
当該方法は、
前記セレクションマップデータと前記更なる不均等な誤り訂正データを含むエンハンスメントデータの固定されたサイズの部分と一様な誤り訂正データの固定されたサイズの部分とを含む固定されたサイズのエンハンスメント伝送フレームからなるエンハンスメントデータストリームを生成するステップを更に含み、
前記第二の伝送するステップは、前記第二のチャネルを通して前記エンハンスメントデータストリームを伝送するステップを含む、
を更に含む請求項４記載の方法。
【請求項６】
前記マルチメディアストリームは、オーディオデータを含むオーディオ部分を含み、選択された更に重要なストリーム部分は、実質的に全てのオーディオ部分を含み、
多数のエンハンスメント伝送フレームのそれぞれに含まれる第三の誤り訂正データは、同じエンハンスメント伝送フレームからなるエンハンスメント伝送データに誤り訂正をなすためのものであり、
前記更なる不均等な誤り訂正データは、該誤り訂正データが生成された前記標準的なデータストリームの部分と同じ順序で伝送され、
前記一様な誤り訂正データ及び前記更なる不均等な誤り訂正データ及び前記第三の誤り訂正データは、ＦＥＣ（Forward Error Correction）データを含む、
請求項５記載の方法。
【請求項７】
前記第一の伝送するステップは、前記標準的なマルチメディアデータストリームを使用して、第一の周波数で第一のアナログ搬送波を変調し、媒体を通して変調された搬送波を伝送するステップを含み、
前記第二の伝送するステップは、前記セレクションマップデータと前記不均等な誤り訂正データを含むエンハンスメントデータストリームを生成するステップと、前記エンハンスメントデータストリームを使用して前記第一の周波数とは異なる第二の周波数で第二のアナログ搬送波を変調し、媒体を通して前記第二の搬送波を伝送するステップと、
を含む、
請求項１記載の方法。
【請求項８】
前記標準的なマルチメディアデータストリームは、固定されたサイズの標準的な伝送フレームに編成され、
当該方法は、
前記標準的な伝送フレームを多数の連続的な標準的な伝送フレームのグループに論理的に編成するステップと、
連続的な標準的な伝送フレームのグループについて前記セレクションマップデータと前記更なる不均等な誤り訂正データを、多数の固定されたサイズの連続的なエンハンスメントデータ伝送部分からなる対応するグループに論理的に編成するステップと、
前記第二の伝送するステップは、前記エンハンスメント伝送フレームを伝送するステップを含む、
請求項４記載の方法。
【請求項９】
エンハンスメントデータ伝送部分からなるグループについて、それぞれのエンハンスメントデータ伝送部分は、連続的なエンハンスメント伝送フレームからなる前記対応するグループについて、前記セレクションマップデータの固定されたサイズの部分及び前記更なる不均等な誤り訂正データの固定されたサイズの部分を含む、
請求項８記載の方法。
【請求項１０】
標準的な伝送フレームのグループについて、前記セレクションマップデータの全ては、前記エンハンスメントデータ伝送部分の連続するセクションにパックされ、前記不均等な誤り訂正データは、前記エンハンスメントデータ伝送部分のその後の連続するセクションにパックされる、
請求項８記載の方法。
【請求項１１】
前記更なる不均等な誤り訂正データの連続的なセクションは、標準的な伝送フレームのグループにおける対応する選択された部分の順序に関してインタリーブされる、
請求項８記載の方法。
【請求項１２】
前記選択されたストリーム部分は、ビデオデータを含むビデオ部分とオーディオデータを含むオーディオ部分を含み、
前記ストリーム部分を選択するステップは、
実質的に全ての前記オーディオ部分を選択するステップと、
ビデオヘッダ情報を含む実質的に全てのビデオ部分を選択するステップと、
ヘッダ情報を含むビデオ部分の直後のビデオ部分の系列を選択するステップとを含み、
前記ビデオ部分の系列におけるビデオ部分の数は、前記第二の伝送のために予め定義されたビットレートに関連する予め決定された基準に依存する、
請求項１記載の方法。
【請求項１３】
前記ストリーム部分は固定されたサイズのパケットであり、それぞれのパケットは、パケットヘッダ及びパケットデータ部分を含み、前記オーディオデータは、オーディオパケットのパケットデータ部分にパックされ、前記ビデオデータは、ビデオパケットのパケットデータ部分にパックされ、
ビデオヘッダ情報は、フレームヘッダ、スライスヘッダ、マクロブロックヘッダ、及びブロックヘッダを含み、
前記予め決定された基準は、エンハンスされたプロテクションを受けることとなるパケットの比率を含み、前記パケットの比率は、前記第二の伝送のための予め決定されたビットレートを少なくとも近似的に提供するために動的に調節される、
請求項１２記載の方法。
【請求項１４】
前記標準的なマルチメディアデータストリームは、固定されたサイズのパケットに編成され、それぞれのパケットは、パケットヘッダ及びパケットデータ部分を含み、前記オーディオデータは、オーディオパケットのパケットデータ部分にパックされ、前記ビデオデータは、ビデオパケットのパケットデータ部分にパックされ、前記パケットのそれぞれは、多数のパケットセグメントに論理的に分割され、
前記マルチメディアデータ部分を選択するステップは、
前記オーディオパケットの実質的に全てのパケットセグメントを選択するステップと、
ビデオヘッダ情報を含む実質的に全てのパケットセグメントを選択するステップと、
ビデオヘッダ情報を含むパケットセグメントの直後にあるビデオデータを含むパケットセグメントの系列を選択するステップと、
パケットセグメントが選択されたパケットのパケットヘッダを含むパケットセグメントを選択するステップと、
を含む請求項１２記載の方法。
【請求項１５】
前記第一のチャネルから前記標準的なマルチメディアデータストリームを受信するステップと、
前記第二のチャネルから前記セレクションマップデータ及び前記不均等な誤り訂正データを受信するステップと、
前記更なる不均等な誤り訂正データを使用して前記セレクションマップデータに従って前記選択されたストリーム部分に誤り訂正をなす第一の誤り訂正ステップと、
前記一様な誤り訂正データを使用して前記符号化されたマルチメディアデータ部分に誤り訂正をなす第二の誤り訂正ステップと、
を更に含む請求項１記載の方法。
【請求項１６】
符号化されたマルチメディアデータと、該符号化されたマルチメディアデータに誤り訂正をなすために有効な一様な誤り訂正データであって、前記標準的なマルチメディアデータストリームの前記符号化されたマルチメディアデータのそれぞれの部分について実質的に同じ誤り訂正のロバスト性を提供する一様な誤り訂正データとを含む標準的なマルチメディアデータストリームを供給し、前記マルチメディアデータのプレゼンテーションの品質に対する前記ストリーム部分に含まれるデータタイプの重要性に依存して、前記標準的なマルチメディアデータストリームのあるストリーム部分を選択し、前記標準的なマルチメディアデータストリームの他のストリーム部分を選択せず、どのストリーム部分が選択されたかを示すセレクションマップデータを生成し、選択されたストリーム部分について更なる不均等な誤り訂正データを生成し、選択されていない他のストリームについて生成しない信号処理手段と、
前記標準的なマルチメディアデータストリームを第一のチャネルで伝送し、前記セレクションマップデータと前記更なる不均等な誤り訂正データを含むエンハンスメントデータを、前記第一のチャネルとは異なる第二のチャネルで伝送する伝送手段と、
を有することを特徴とするマルチメディアストリーム送信機。
【請求項１７】
前記信号処理手段は、前記標準的なマルチメディアデータストリームを供給するための入力端子を含む、
請求項１６記載の送信機。
【請求項１８】
前記標準的なマルチメディアデータストリームを供給することは、
符号化されたマルチメディアデータを供給し、
前記符号化されたマルチメディアデータについて、一様な誤り訂正データを生成し、
前記符号化されたマルチメディアデータと一様な誤り訂正データとを含む標準的なマルチメディアデータストリームを生成することを含む、
請求項１６記載の送信機。
【請求項１９】
前記信号処理手段は、前記符号化されたマルチメディアデータを供給するための符号化入力端子を含む、
請求項１８記載の送信機。
【請求項２０】
前記符号化されたマルチメディアデータを供給することは、未処理のマルチメディアデータを供給し、前記未処理のマルチメディアデータを圧縮して前記符号化されたマルチメディアデータを供給することを含む、
請求項１８記載の送信機。
【請求項２１】
前記信号処理手段は、前記未処理のマルチメディアデータを供給するための入力端子を含む、
請求項２０記載の送信機。
【請求項２２】
未処理のマルチメディアデータを受信するレシーバと、
符号化されたマルチメディアデータを供給するために前記未処理のマルチメディアデータを圧縮するエンコーダと、
前記符号化されたマルチメディアデータのため、前記符号化されたマルチメディアデータのそれぞれの部分について実質的に同じ誤り訂正のロバスト性を提供する一様な誤り訂正データを生成する第一の誤り訂正発生手段と、
前記符号化されたマルチメディアデータと前記一様な誤り訂正データをフォーマット化して標準的なマルチメディアデータストリームを提供するマルチプレクサと、
更なる不均等な誤り訂正のため、前記標準的なマルチメディアデータストリームのあるストリーム部分を選択し、前記マルチメディアデータストリームの他のストリーム部分を選択せず、前記マルチメディアデータのプレゼンテーションの品質に対する前記ストリーム部分に含まれるデータタイプの重要性に依存して、前記更なる不均等な誤り訂正についてどのストリーム部分が選択されたかを示すセレクションマップデータを生成するセレクタと、
前記セレクションマップデータにより示される選択されたストリーム部分について更なる不均等な誤り訂正データを生成し、選択されていない他のストリームについて生成しない第二の誤り訂正発生手段と、
前記標準的なマルチメディアデータストリームを第一のチャネルで送信する第一の送信手段と、
前記セレクションマップデータと前記更なる不均等な誤り訂正データを含むエンハンスメントデータを、前記第一のチャネルとは異なる第二のチャネルで送信する第二の送信手段と、
を有するマルチメディアストリーム送信機。
【請求項２３】
符号化されたマルチメディアデータ及び一様な誤り訂正データを含む標準的なマルチメディアデータストリームを第一のチャネルから受信し、前記第一のチャネルとは異なる第二のチャネルから、セレクションマップデータ及び不均等な誤り訂正データを含むエンハンスメントデータを受信するための受信手段と、
更なる不均等な誤り訂正データを使用して、前記標準的なストリームのある部分が第一の誤り訂正で訂正され、前記標準的なストリームの他の部分が前記第一の誤り訂正で訂正されないことを示す前記セレクションマップデータに従って前記標準的なストリームに第一の誤り訂正をなし、前記標準的なストリームのマルチメディアデータのそれぞれの部分について実質的に同じ誤り訂正のロバスト性を提供する一様な誤り訂正データを使用して全ての前記符号化されたマルチメディアデータに第二の誤り訂正をなす処理手段と、
データに前記第一及び第二の誤り訂正をなした後、誤り訂正された符号化されたマルチメディアデータを送信する送信手段と、
を有するマルチメディアデータストリーム受信機。
【請求項２４】
符号化されたマルチメディアデータと、前記符号化されたマルチメディアデータの誤り訂正のための一様な誤り訂正データであって、前記符号化されたマルチメディアデータのそれぞれの部分の実質的に同じロバスト性を提供する一様な誤り訂正データとを含む標準的なマルチメディアデータストリームを第一のチャネルから受ける第一のレシーバと、
前記第一のチャネルとは異なる第二のチャネルから、セレクションマップデータ及び更なる不均等な誤り訂正データを含むエンハンスメントデータを受け、前記第二のチャネルから第三の誤り訂正データを受ける第二のレシーバと、
前記第三の誤り訂正データを使用して前記エンハンスメントデータに誤り訂正をなす第一の誤り訂正ユニットと、
前記更なる不均等な誤り訂正データを使用して前記セレクションマップデータに従って前記標準的なデータストリームの部分の第一の誤り訂正を提供する第二の誤り訂正ユニットと、
前記一様な誤り訂正データを使用して前記符号化されたマルチメディアデータの第二の誤り訂正を提供する第三の誤り訂正ユニットと、
データに前記第一及び第二の誤り訂正をなした後、誤り訂正された符号化されたマルチメディアデータを送信する出力と、
を有するマルチメディアデータストリーム受信機。
【請求項２５】
符号化されたマルチメディアデータと、該符号化されたマルチメディアデータに誤り訂正をなすために有効な一様な誤り訂正データであって、前記標準的なマルチメディアデータストリームの前記符号化されたマルチメディアデータのそれぞれの部分について実質的に同じ誤り訂正のロバスト性を提供する一様な誤り訂正データとを含む、第一のチャネルにおける標準的なマルチメディアデータストリームと、
前記標準的なストリームのどの部分が前記更なる不均等な誤り訂正データを使用して訂正されるか、前記標準的なストリームの他の部分が前記更なる不均等な誤り訂正データを使用して訂正されないことを示すセレクションマップデータ、及び更なる不均等な誤り訂正データを含む、前記第一のチャネルとは異なる第二のチャネルにおけるエンハンスメントデータと、
を含むことを特徴とする関連する信号。
【請求項２６】
媒体の異なるそれぞれのチャネルで請求項２５記載の関連する信号を含む媒体。
【発明の詳細な説明】
【技術分野】
【０００１】
本発明は、誤り訂正により雑音の多い媒体を通してのデジタルテレビジョンの伝送の分野に関する。この媒体における雑音は、適度な表示品質のための誤り訂正を必要とする受信されたデータにおいて誤りとなる。
【背景技術】
【０００２】
ＭＰＥＧストリームのようなデジタルマルチメディアデータストリームは、伝送誤りに対して極端に傷つき易い。誤り訂正が提供されない場合、１ビットエラーでさえもＭＰＥＧストリームの重要な部分の復号化を妨げることになる。ＤＴＶ向けの提案されるＡＴＳＣ規格及び提案されるＤＶＢ規格のような提案されるデジタルテレビジョン規格は、伝送の間の生じる幾つかの誤りを補正することができるＦＥＣ（Forward Error Correction）データを提供する。誤り訂正データは、典型的に、パリティビットの形式での冗長なデータである。誤り訂正スキームにより補正することができるエラー量は、スキームで提供される誤り訂正データの量に依存する。ランダムなシングルビットエラーのような小さなエラーは、小さな量の誤り訂正データが大部分のエラーを補正するのに十分であるように、大きなバーストエラーよりも一般的である。また、実際の量ではない誤り訂正データは、全ての可能な伝送エラーを除くことができる。したがって、これら提案される規格は、誤り訂正のロバスト性と、伝送される必要がある誤り訂正データの量との間のトレードオフに基づいている。
【０００３】
提案されるデジタルテレビジョン技術は、電流ケーブル及び衛星テレビジョン伝送スキームにより提供されるような低い雑音伝送チャネルについて許容可能な受信を提供する。しかし、延長されたケーブルシステム、地上波放送、インターネット伝送、セルフォン伝送、及びワイヤレスネットワーク伝送チャネルのような雑音の多いチャネルを通してテレビジョン伝送の更にロバストな誤り訂正を提供する必要がある。
【発明の開示】
【課題を解決するための手段】
【０００４】
近年、ビデオデータの不均一なプロテクション又は優先付けされたプロテクションのスキームは、文献で広く提案されてきている。これらのスキームは、デジタルマルチメディアストリームのある部分にける誤りがストリームの他の部分におけるエラーよりも更に重大である事実を利用している。デジタルマルチメディアストリームの重要な部分におけるエラーは、重要なデータの損失を引き起こし、たとえば、ＭＰＥＧビデオＩフレームのヘッダにおける誤りは、ビデオフレームの全体のグループの復号化を妨げ、オーディオフレームにおけるエラーは、理解できない単語となる可能性がある。しかし、デジタルマルチメディアストリームの重要性の低い部分におけるデータは、知覚できない場合さえある。
【０００５】
提案される不均質なプロテクションスキームでは、デジタルマルチメディアストリームは、表示の品質への異なる量で寄与する異なるデータタイプの異なる部分に分割される。次いで、プレゼンテーションの品質に多く寄与するデータタイプの一部は、たとえば、より多くのデータの冗長度を提供するか、又はより重要なデータタイプを正しく伝送するために更に多くのリトライを提供することで、他のタイプのデータの一部よりも更にロバストにされる。一般にこれらのスキームでは、マルチメディアストリームを伝送するために使用される伝送チャネルは、ビデオ信号の異なる部分について時間ごとに分割される。
【０００６】
チャネルは、通信信号が伝送される通信リソースの一部であって、１つのチャネルを通した信号の伝送は、通信リソースの他のチャネルを通して他のチャネルの伝送とは実質的に独立である。チャネル通信は、チャネルを通した信号の伝送である。チャネルは、他のチャネルを通した通信とは実質的に独立な予め決定された伝送レート又は帯域幅のような予め決定された特性を有している。たとえば、チャネルは、電気信号が伝送される導電性パスであるか、電磁信号が伝送された周波数帯域である。ある時間での１つの送信機のみが同じチャネルを通して情報を伝送することができる。リソースは、媒体又は一連の異なる媒体である場合がある。チャネルは、異なる送信機が同じチャネルの異なるスライスを通して異なる信号を独立に伝送できるように、チャネルを時間スライス及び／又は周波数スライスすることで、多数のチャネルに分割又はスライスされる場合がある。実質的に独立な伝送を提供するチャネルのそれぞれのスライスもチャネルと呼ばれる。ここで、チャネルは、送信機と受信機の観点から定義される。すなわち、信号が伝送される通信リソースは、信号の送信及び受信が他のチャネルを通した通信には実質的に独立である限り、チャネルと考えられる。
【０００７】
インターネットのようなスイッチパケットネットワークを通した通信は、スイッチパケットネットワークでのチャネルに制限されないが、典型的に、かかる通信は、チャネル通信についての先の定義に合致するように、インターネットの内外のチャネルに制限される。
【０００８】
当業者は、引用により全体的に本明細書に組み込まれる以下の引例に向けられる。
・“PES packet and elementary streams”in “Comprehensive MPEG2 Video
Compression Tutorial” by Wayne E. Bretl and Mark Fimoff, January 15, 2000, at www.bretl.com
・“ATSC Standard A/53: Digital Television Standard”, August 2001, at
http://www.atsc.org
本発明のマルチメディアストリーム送信機では、ストリーム送信機は、標準的なマルチメディアデータストリームを受ける。ストリームは、符号化されたマルチメディアデータを誤り訂正するのに有効な符号化されたマルチメディアデータ異及び一様な誤り訂正データを含む。一様な誤り訂正データは、標準的なマルチメディアデータストリームの符号化されたマルチメディアデータのそれぞれの部分について誤り訂正の実質的に同じロバスト性を提供する。送信機は、符号化されたマルチメディアデータストリームのあるストリーム部分を選択するが、符号化されたマルチメディアデータストリームの他のストリーム部分ではない。選択は、符号化されたマルチメディアデータの正しい復号化への選択されたストリーム部分の重要性に依存する。送信機は、どのストリームが選択されたかを示すセレクションマップデータを生成する。また、送信機は、選択されたストリーム部分を誤り訂正する更なる不均等な誤り訂正データを生成し、選択されなかった他のストリーム部分についてかかる更なる誤り訂正データを生成しない。送信機は、第一のチャネルを通して標準的なマルチメディアストリームを伝送し、セレクションマップデータと更なる不均等な誤り訂正データを含むエンハンスメントデータを第二のチャネルを通して伝送する。第二のチャネルは、第一のチャネルとは異なるチャネルであり、すなわち、第一のチャネルを通した情報信号の伝送は、第二のチャネルを通した情報信号の伝送とは独立である。
【０００９】
本発明のマルチメディアデータ受信機では、受信機は、第一のチャネルから標準的なマルチメディアデータストリームを受け、第二のチャネルからエンハンスメントデータを受ける。受信機は、更なる不均等な誤り訂正データを使用してセレクションマップに従って標準的なマルチメディアデータストリームの選択された部分を選択的に誤り訂正する。また、受信機は、一様な誤り訂正データを使用して全ての符号化されたマルチメディアデータを一様に誤り訂正する。
【００１０】
マルチメディアデータの重要な部分について更なる非均等なエラープロテクションとの組み合わせでの一様な誤り訂正の組み合わせの利点は、マルチメディアデータの重要性の低い部分における大部分のエラーが訂正され、より広範なエラーでさえも符号化されたマルチメディアデータの更に重要な部分で訂正されることを含んでいる。第一のチャネルを通して一様な誤り訂正により、更に第二のチャネルを通して不均等な誤り訂正により標準的なマルチメディアデータストリームを伝送する利点は、一様な誤り訂正による標準的なマルチメディアデータストリームが第一のチャネルから標準的なストリームのみを受け、第二のチャネルからエンハンスメントデータを受信しない受信機と互換性があることを含んでいる。したがって、本発明の送信機は、本発明を利用しない標準的な受信機用に使用される。異なるロケーションで多数の受信機が本発明の同じ送信機から信号を受信するブロードキャストの実施の形態では、ある受信機は他の受信機よりも雑音の多い信号を受け、雑音の多い信号を受ける受信機は、改善された受信の品質を得るために本発明を利用し、本発明を利用しない複雑さの少ない受信機は、雑音の少ない信号を受信するために使用される。
【００１１】
送信機は、エンハンスメントデータに誤り訂正を行うのに有効な第三の誤り訂正データ部分を生成する場合がある。第三の誤り訂正データは、エンハンスメントデータのそれぞれの部分について実質的に同じ一様な誤り訂正のロバスト性を提供する。受信機は、標準的なストリームの選択された部分を誤り訂正する前に、エンハンスメントデータに誤り訂正を行う場合がある。送信機は、エンハンスメント伝送フレームのエンハンスメントストリームを生成する場合がある。それぞれのエンハンスメント伝送フレームは、エンハンスメントデータの固定されたサイズ部分、及び第三の誤り訂正データの固定されたサイズ部分を含む場合がある。
【００１２】
標準的なストリームは、固定されたサイズのエレメンタリストリームパケットを含む場合があり、パケットは、パケットヘッダ及びパケットデータ部分をそれぞれ含んでいる。パケットは、それらのパケットデータ部分にビデオデータを含むビデオパケットを含み、それらのパケットデータ部分にオーディオデータを含むオーディオパケットを含む場合がある。
【００１３】
標準的なストリームは、固定されたサイズの標準的な伝送フレームに編成され、それぞれ標準的な伝送フレームは、符号化されたマルチメディアデータの固定されたサイズの部分、及び一様な誤り訂正データ（uniform error correction data）の固定されたサイズの部分を含んでいる。それぞれのフレームに含まれる一様な誤り訂正データは、同じフレームに含まれる符号化されたマルチメディアデータに誤り訂正を行うためである場合がある。
【００１４】
標準的な伝送フレームは、符号化されたマルチメディアデータの選択された部分についてセレクションマップデータ（selection map data）と不均等な誤り訂正データ（unequal error correction data）を効率的に生成及び編成する多数の標準的な伝送フレームからなるグループに論理的に編成される。符号化されたマルチメディアデータの部分の選択は、実質的に全てのオーディオ部分を選択すること、ビデオヘッダ情報を含む実質的に全てのビデオ部分を選択すること、及び、ビデオヘッダデータを含むそれぞれのビデオ部分の直後のビデオ部分の系列を選択することを含んでおり、系列における部分の数は、第二の伝送の予め決定されたビットレートに依存する。セレクションマップデータ及び／又は不均等な誤り訂正データは、それらが生成された符号化マルチメディアデータ部分が伝送されるのと同じ順序でそれぞれ伝送される場合がある。代替的に、セレクションマップデータ及び／又は不均等な誤り訂正データは、それらが生成された符号化マルチメディアデータ部分が伝送される順序に関してインタリーブされた順序で伝送される場合がある。
【００１５】
標準的な伝送フレームのそれぞれのグループのエンハンスメントデータは、複数の固定されたサイズのエンハンスメントデータ伝送部分に編成される場合がある。対応する固定されたサイズの第三の誤り訂正部分は、それぞれのエンハンスメント伝送部分について生成される場合がある。固定されたサイズのエンハンスメント伝送フレームのエンハンスメントデータストリームは、送信機により生成される場合があり、多数のエンハンスメント伝送フレームのそれぞれは、エンハンスメントデータ伝送部分のうちの１つ、及び標準的なフレームのグループの第三の誤り訂正部分のうちの１つを含んでいる。それぞれのエンハンスメント伝送フレームにおける第三の誤り訂正部分は、同じエンハンスメント伝送フレームに含まれるエンハンスメントデータを誤り訂正するためである。
【００１６】
それぞれのエンハンスメントデータ伝送部分は、セレクションマップデータの固定されたサイズ部分及び更なる不均等な誤り訂正データの固定されたサイズ部分を含む場合がある。代替的に、全てのセレクションマップデータは、エンハンスメントデータ伝送部分のその後のセクションで互いに送出される場合があり、また、全ての更なる不均等な誤り訂正データは、エンハンスメントデータ伝送部分の他のその後のセクションで互いに送出される場合がある。
【００１７】
選択されたストリーム部分は、オーディオ部分とビデオ部分を含む場合があり、選択は、実質的に全てのオーディオ部分を選択すること、及び、ビデオヘッダ情報を含む全てのビデオ部分を選択し、ヘッダ情報を含むビデオ部分の直後にあるビデオ部分の系列を選択することを含む場合があり、系列のサイズは、エンハンスメントデータストリームの伝送のための予め決定されたビットレートに依存する。
【００１８】
パケットが多数のセグメントに編成され、選択されたストリーム部分がパケットセグメントであるケースでは、選択されたストリーム部分は、選択されたパケットセグメントを含むパケットのパケットヘッダを含む。
【００１９】
標準的なマルチメディアデータストリームは、第一の搬送波周波数で第一のアナログ搬送波を変調するために標準的なマルチメディアデータストリームを使用し、物理的な媒体を通して第一の変調された搬送波を伝送することで、第一のチャネルを通して伝送される場合がある。エンハンスメントデータストリームは、第一の搬送波の周波数とは異なる第二の搬送波の周波数で第二のアナログ搬送波を変調するためにエンハンスメントデータストリームを使用することで、第二のチャネルを通して伝送される場合がある。
【００２０】
本発明の更なる態様及び利点は、添付図面を参照しながら以下の詳細な説明から当業者にとって明らかとなるであろう。図面に関する以下の説明では、異なる図での同じラベルは類似の装置を示している。
【発明を実施するための最良の形態】
【００２１】
図１は、本発明のマルチメディア送信機１００の例示的な実施の形態を示している。受信機１１０は、シグナルプロセッサ１１２にマルチメディアデータを供給する。標準的なマルチメディアデータストリームは、単独又はシグナルプロセッサ１１２との組み合わせで受信機１１０により供給される。標準的なストリームは、符号化されたマルチメディアデータ及び一様な誤り訂正データを含む。一様な誤り訂正データは、符号化されたマルチメディアデータのそれぞれの部分について実質的に同じ誤り訂正のロバスト性を提供する。
【００２２】
受信機１１０は、たとえば、マルチメディアデータを受ける入力、レコードキャリアからマルチメディアデータを読取るメディアドライブ、並びに、環境からマルチメディアデータを受けるカメラ及びマイクロフォンを含む場合がある。受信機は、標準的なマルチメディアデータストリームを受けるか、シグナルプロセッサは、誤り訂正データを生成し、符号化されたマルチメディアデータ及び誤り訂正データを標準的なマルチメディアストリームにフォーマット化するケースにおいて、受信機は、符号化されたマルチメディアデータを受けるか、又は、シグナルプロセッサが未処理のデータを符号化されたマルチメディアデータにエンコードするケースにおいて、受信機は、未処理のマルチメディアデータを提供するだけである場合がある。
【００２３】
シグナルプロセッサ１１２は、標準的なマルチメディアデータストリームのあるストリーム部分を選択し、標準的なマルチメディアデータストリームの他のストリーム部分を選択しない。この選択は、マルチメディアデータの表示の品質へのストリーム部分に含まれたデータのタイプの重要性に依存する。また、シグナルプロセッサは、どのストリーム部分が選択されたかを示すセレクションマップデータを生成する。また、シグナルプロセッサは、選択されたストリーム部分について更なる不均等な誤り訂正データを生成し、選択されなかった他のストリーム部分について更なる不均等な誤り訂正データを生成しない。
【００２４】
送信機１１４は、マルチメディアデータストリームを第一のチャネルに伝送し、セレクションデータマップデータ及び更なる不均等な誤り訂正データを含むエンハンスメントデータを第二のチャネルに伝送する。第二のチャネルは、第一のチャネルとは異なるチャネルであろう。したがって、一様な誤り訂正データと不均等な誤り訂正データの両者は、標準的なストリームの選択された部分について供給され、少なくとも一様な誤り訂正データは、選択されない標準的なストリームの一部について供給される。
【００２５】
図２は、例示的な標準的なマルチメディアデータストリームの一部１２０を例示している。標準的なストリームは、たとえば、提案されるＡＴＳＣ  ＤＴＶ規格又は提案されるＤＶＢ規格に一致する。ストリームは、連続的に固定されたサイズの標準的な伝送フレームからなる場合がある。それぞれ標準的なフレームは、符号化されたマルチメディアデータの固定されたサイズのマルチメディアデータ部分１２２を含み、符号化されたマルチメディアデータを誤り訂正するために使用される一様な誤り訂正データの固定されたサイズの一様な誤り訂正部分１２４が続く。標準的な誤り訂正データは、たとえば、ＦＥＣ（Forward Error Correction）である場合がある。符号化は、たとえばＭＰＥＧタイプの符号化（たとえばＭＰＥＧ−２符号化）である場合があり、このケースでは、符号化されたマルチメディアデータは、固定されたサイズの１８８バイトのエレメンタリストリームパケットから構成され、それぞれのパケットは、パケットヘッダ及びパケットデータ部分を有し、パケットヘッダはＩＤを含み、パケットデータ部分は符号化されたマルチメディアデータを含んでいる。ＭＰＥＧ符号化された標準的なストリームについて、それぞれのマルチメディアデータ部分は、ＭＰＥＧパケット固定された整数の数を含む場合がある。テレビジョンについて、ＭＰＥＧストリームのパケットは、典型的に、ビデオデータのみを含むパケットデータ部分をもつビデオパケット、及びオーディオデータのみを含むパケットデータ部分をもつオーディオパケットを含んでいる。
【００２６】
それぞれ標準的なフレームにおける誤り訂正データは、同じ標準的なフレームにおける符号化されたマルチメディアデータのみを誤り訂正するためのものであるか、又は、他の標準的なフレームにおける符号化されたマルチメディアを誤り訂正するためのものである。図３は、標準的なフレームにおけるパケットの順序とは異なる順序でパケットを誤り訂正する一様な誤り訂正データがインタリーブされる、４つの標準的なフレームのグループを例示している。たとえば、図３で、それぞれのパケットＢ、Ｃ及びＤを誤り訂正する一様な誤り訂正データＢ’、Ｃ’及びＤ’は、パケットＢ、Ｃ及びＤとは異なるグループオブフレームの標準的なフレームに含まれる。
【００２７】
一方のチャネルにおけるデータ信号の伝送が別のチャネルにおけるデータ信号の伝送とは実質的に独立であるとき、チャネルは異なると考えられる。たとえば、ブロードキャストでは、チャネルは、典型的に異なる電磁スペクトルの周波数バンドであり、ＴＤＭＡセルラシステムでは、同じ周波数バンドの異なる予め決定された時間スライスである。（ＣＤＭＡセルラシステムのような）拡散通信では、チャネルは、多周波帯域の時間スライスを含んでいる。しかし、同じチャネルを変動するデータレートに依存して多数の送信機に動的に割り当てるためのスキームは、実質的に独立な伝送であるとは考えられない。
【００２８】
たとえば、送信機１１４は、標準的なマルチメディアストリームを使用して、第一の周波数で第一のアナログ搬送波を変調し、次いで、エンハンスメントデータストリームを使用して、第一の周波数とは異なる第二の周波数で第二のアナログ搬送波を変調し、第二の変調された搬送波を媒体に伝送する。このケースでは、媒体は、音波又は電磁波のような波を伝送することができる物質である。送信機は、たとえば、光ファイバを通して光波を伝送するレーザ、又は、空間を通して無線波又はマイクロ波を伝送するアンテナを含む場合がある。
【００２９】
図４ａは、文字により示される標準的なストリームの選択された部分をもつ標準的なマルチメディアデータストリームの４つの標準的な伝送フレームのグループの実施の形態を示している。選択されなかった標準的なストリームの部分はブランクである。選択された部分は、一様な誤り訂正データの部分を含む場合があるか、又は、選択は、図４ａに示されるように符号化されたメディアデータのみを含むために制限される場合がある。選択された部分はＭＰＥＧパケットであるか、又は、ＭＰＥＧパケットの小分割であるパケットセグメントである場合がある。たとえば、パケットがそれぞれ１８８バイトを含む場合、それぞれのパケットは、６パケットセグメントに論理的に小分割され、最初の５パケットセグメントは、３２バイトをそれぞれ含み、６番目のパケットセグメントは２８バイトを含んでいる。
【００３０】
グループにおける標準的なフレームの数（すなわちグループサイズ）は、遅延、バッファリング要件及び帯域幅の効率の間のトレードオフに依存する。たとえば、より大きな標準的なフレームのグループは、標準的なフレームの処理における多くの遅延（及びエンハンスメントデータの処理における遅延）を導入し、データを保持するためのより大きなバッファを必要とするが、より高い帯域幅効率となるエンハンスメントデータのより効率的なパッケージングとなる。
【００３１】
図４ｂは、本発明のセレクションマップデータの第一の例示的な実施の形態を例示しており、セレクションマップデータは、図４ａに示される選択された部分である。この実施のエ形態では、セレクションマップは、ビットマップであり、１は標準的なフレームの対応する部分が選択されたことを示し、０は標準的なフレームの対応する部分が選択されなかったことを示している。本発明を簡単にするため、図４ｂでは０が示されていない。
【００３２】
図４ｃは、本発明の不均等な誤り訂正の第一の例示的な実施の形態を例示している。図４ｃは、図４ａの選択された部分を誤り訂正するための誤り訂正データを示している。たとえば、誤り訂正データＡ’、Ｂ’、Ｃ’は、図４ａの標準的なフレームで選択されたパケットＡ、Ｂ、Ｃをそれぞれ誤り訂正するためのものである。
【００３３】
図４ｄは、本発明のセレクションマップデータの別の例示的な実施の形態を例示しており、セレクションマップデータが生成された標準的なストリームの部分の順序に関してセレクションマップデータがインタリーブされる。たとえば、図４ｂのセレクションビットマップの第一の行における最初の４ビットは、４つの標準的なフレームのそれぞれの第一のパケットが選択されたかを示している。
【００３４】
図４ｅは、本発明の不均等の誤り訂正データの別の例示的な実施の形態を示しており、不均等な誤り訂正データが生成された標準的なストリームの部分の順序に関して不均等な誤り訂正データがインタリーブされる。図４ｅでは、最初の２つの部分である不均等な誤り訂正データＡ’及びＭ’は、パケットＡ及びＭをそれぞれ誤り訂正するためのものである。代替的に、セレクションマップデータは、図４ｂに示される形式であり、不均等な誤り訂正データは、図４ｅに示される形式であり、これにより、不均等な誤り訂正データは、セレクションマップデータに関してインタリーブされる。
【００３５】
図１では、シグナルプロセッサ１１２は、エンハンスメントデータを誤り訂正するための第三の誤り訂正データを生成する場合がある。第三の誤り訂正データは、全てのエンハンスメントデータについて実質的に同じ一様な誤り訂正を提供する。このケースでは、送信機１１４は、第二のチャネルを通してエンハンスメントデータで第三の誤り訂正データを伝送する。
【００３６】
シグナルプロセッサ１１２は、固定されたサイズのエンハンスメント伝送フレームのエンハンスメントデータストリームにエンハンスメントデータを編成する場合がある。図５は、エンハンスメントデータストリームの例示的な実施の形態の一部を示している。それぞれのエンハンスメント伝送フレームは、エンハンスメントデータを含む固定されたサイズのエンハンスメントデータ伝送部分１３２、及びエンハンスメントデータを誤り訂正する第三の誤り訂正データを含む固定されたサイズの第三の誤り訂正伝送部分１３４から構成される。このケースでは、送信機１１４は、エンハンスメントストリームを第二のチャネルに伝送する。
【００３７】
それぞれのエンハンスメント伝送フレームにおける第三の誤り訂正データは、ＦＥＣデータである場合がある。それぞれのエンハンスメント伝送フレームにおける誤り訂正データは、同じエンハンスメント伝送フレームにおけるエンハンスメントデータを誤り訂正するためのものであるか、又は、図３における標準的なフレームにおける誤り訂正データのインタリーブに類似したやり方で、他のエンハンスメント伝送フレームにおけるエンハンスメントデータを誤り訂正する場合がある。
【００３８】
図６ａ及び図６ｂは、セレクションマップデータと不均等なエンハンスメントマップデータとを、図４ａに示される標準的な伝送フレームのグループについてエンハンスメント伝送フレームのグループのエンハンスメントデータ伝送部分に編成するための異なる例示的な実施の形態を例示している。エンハンスメント伝送フレームのグループにおけるフレーム数は、標準的なフレームの対応するグループにおけるフレーム数、更なる不均等な誤り訂正を提供するために選択される標準的なフレームの部分の比率に依存する。図６ａでは、３つのエンハンスメント伝送フレームのそれぞれは、図４ｂのセレクションマップデータの固定されたサイズの部分１４２を含んでおり、図４ｃの不均等な誤り訂正データの固定されたサイズの部分１４４がこれに続き、更に、第三の誤り訂正データの一部１４６がこれに続く。図６ｂでは、セレクションマップデータの後続する部分１５０及び１５２は、最初の２つのエンハンスメント伝送フレームに含まれる。セレクションマップデータには、不均等な誤り訂正データの後続する部分１５４及び１５６が続く。典型的に、セレクションマップデータは、不均等な誤り訂正データよりも非常に小さい。
【００３９】
シグナルプロセッサ１１２は、マルチメディアプレゼンテーションの品質を維持するための最も重要なデータタイプを含む。最も重要なデータ部分は、標準的なデータストリームに含まれるマルチメディアデータのタイプに依存する。オーディオデータは典型的にマルチメディアデータの小さな比率であって、オーディオは他の部分よりもマルチメディアプレゼンテーションの理解に一般に最も重要であるので、オーディオ部分が選択されるべきである。比較的小さなオーディオデータの損失でさえも、プレゼンテーションを理解できないようにする。ＭＰＥＧベースの標準的なパケットのストリームについて、オーディオパケットは、パケットＩＤにより識別される。また、他のビデオデータを復号化するのにヘッダ情報は重要であるので、ヘッダ情報を含むビデオ部分が選択されるべきである。典型的なＭＰＥＧビデオストリームにおけるビデオヘッダ情報は、フレームヘッダ、スライスヘッダ、マクロブロックヘッダ、及びブロックヘッダを含んでいる。ＭＰＥＧベースの標準的なストリームについて、ビデオヘッダを含む部分を識別するため、パケットが分析される必要がある。最後に、（ヘッダ情報を含むビデオ部分の直後になる）後続するビデオ部分の系列が選択されるべきであり、ビデオ部分の系列におけるビデオ部分の数は、予め決定された基準に依存する場合がある。予め決定された基準は、エンハンスされたプロテクションを受けることになるパケットの比率を含む場合があり、パケットの比率は、第二の伝送の予め決定されたビットレートを少なくとも近似的に提供するために動的に調整される。
【００４０】
標準的なマルチメディア信号がパケットからなるとき、パケットは選択された部分であるセグメントに論理的に小分割され、パケットのセグメントが選択されたとき、選択されたセグメントのパケットヘッダも選択される。これは、パケットを復号化するためにパケットヘッダは重要であるためである。
【００４１】
図７は、本発明のマルチメディア送信機２００の更に詳細な例示的な実施の形態を説明している。受信機２０２は、未処理のマルチメディアデータを提供する。エンコーダ２０４は、未処理のマルチメディアデータを符号化されたマルチメディアデータに変換する。誤り訂正コーダ２０６は、符号化されたマルチメディアデータについて一様な誤り訂正データを生成し、一様な誤り訂正データは、符号化されたマルチメディアデータのそれぞれの部分について誤り訂正の実質的に同じロバスト性を提供する。マルチメディア２０８は、符号化されたマルチメディアデータ及び一様な誤り訂正データをフォーマット化し、標準的なマルチメディアデータストリームを提供する。セレクタ２１０は、標準的なマルチメディアデータストリームのあるストリーム部分を選択するが、更なる不均等な誤り訂正のために標準的なマルチメディアデータの他のストリーム部分を選択せず、更なる不均等な誤り訂正についてどのストリーム部分が選択されたかを示すセレクションマップデータを生成する。選択は、マルチメディアデータのプレゼンテーションの品質に対するストリーム部分に含まれるデータのタイプの重要性に依存する。誤り訂正コーダ２１２は、セレクションマップデータにより示される選択されたストリーム部分について更なる不均一の誤り訂正データを生成し、選択されていなかった他のストリーム部分について生成しない。マルチプレクサ２１４は、不均等な誤り訂正データ及びセレクションマップデータを互いにフォーマット化し、エンハンスメントデータ伝送部分を提供する。誤り訂正コーダ２１６は、エンハンスメントデータ伝送部分を誤り訂正するための第三の誤り訂正データを生成する。マルチプレクサ２１８は、エンハンスメントデータ伝送部分及びエンハンスメント誤り訂正データを互いにフォーマット化し、エンハンスメントデータストリームを提供する。データストリームは、図５に関して先に記載されたエンハンスメント伝送フレームから構成される場合がある。
【００４２】
送信機２２０は、標準的なマルチメディアデータストリームを第一のチャネルに伝送し、送信機２２２は、エンハンスメントデータストリームを第二のチャネルに伝送し、第二のチャネルは、第一のチャネルとは異なる。
【００４３】
図７の実施の形態のエレメントは、個別のコンポーネントで記載されるが、効果的な設計では、コンポーネントの一部が共有される場合があり、商業的な実施の形態では、マルチメディア送信機のある部分がソフトウェアで実現され、他の部分がハードウェアで実現されることが期待される。
【００４４】
図８は、標準的なマルチメディアデータストリームを誤り訂正するため、一様な誤り訂正データと不均等な誤り訂正データの両者を使用する、本発明のマルチメディア受信機の例示的な実施の形態２３０を示している。受信機２３２は、第一のチャネルから標準的なマルチメディアデータストリームを受信し、標準的なストリームは、符号化されたマルチメディアデータ及び一様な誤り訂正データを含む。また、受信機２３２は、第二のチャネルからセレクションマップデータ及び不均等な誤り訂正データを含むエンハンスメントデータを受信し、第二のチャネルは第一のチャネルとは異なる。
【００４５】
プロセッサ２３４は、更なる不均等な誤り訂正データを使用して、セレクションマップデータに従って標準的なストリームの部分を第一に誤り訂正する。セレクションマップデータは、標準的なストリームのどのポイントが第一の訂正で補正されることになるか、及び標準的なストリームの他の部分が第一の訂正で訂正されないことを示す。また、プロセッサ２３４は、一様な誤り訂正データを使用して全ての符号化されたマルチメディアデータを第二に誤り訂正し、一様な誤り訂正は、標準的なストリームのマルチメディアデータのそれぞれの部分について誤り訂正の実質的に同じロバスト性を提供する。誤り訂正することができないマルチメディアの一部は、廃棄される場合がある。送信機２３６は、データの第一及び第二の誤り訂正の後に媒体に誤り訂正された、符号化されたマルチメディアデータを出力する。送信機２３６は、マルチメディアデータを聴衆に提供するディスプレイ、レコードキャリアにマルチメディアデータを記録するレコーダ、光ケーブルを通してマルチメディアデータを伝送する光レーザ送信機、空間を通してマルチメディアデータを送信するアンテナ、及び／又は、信号を伝送することができる他のタイプの媒体を含む場合がある。
【００４６】
一様な誤り訂正又は不均等な誤り訂正のいずれかは、マルチメディアデータのそれぞれの部分にはじめに実行される場合がある。しかし、一様な誤り訂正データの一部が更なる不均等な誤り訂正について選択された場合、一様な誤り訂正のために使用される前に誤り訂正されるべきである。
【００４７】
第二のチャネルから受信機２３２により受信されたエンハンスメントデータは、図１の送信機１１４又は図７の送信機２２２により伝送されるように記載されたエンハンスメントデータの形式である場合がある。たとえば、エンハンスメントデータは、第三の誤り訂正を伴うか、又は先に記載されたようにエンハンスメント伝送フレームにフォーマット化される場合がある。
【００４８】
送信機２３６の出力は、誤り訂正された標準的なマルチメディアデータストリームであるか、又は、一様な誤り訂正データなしで、まさに誤り訂正されたマルチメディアデータである場合がある。
【００４９】
シグナルプロセッサ２３４は、未処理のマルチメディアデータを提供するために符号化されたマルチメディアデータを復号化する場合がある。そのケースでは、送信機２３６は、復号化されたマルチメディアデータを聴衆に提供するために簡単なプレゼンテーション装置（たとえばＭＰＥＧデコーダをもたないテレビジョン）を含む場合がある。
【００５０】
図９は、本発明のマルチメディア受信機の更に詳細な実施の形態を例示する図である。第一の受信機２５２は、第一のチャネルから標準的なマルチメディアデータストリームを受信する。標準的なストリームは、マルチメディアデータの誤り訂正のための、符号化されたマルチメディアデータ及び一様な誤り訂正データを含む。一様な誤り訂正データは、符号化されたマルチメディアデータのそれぞれの部分について誤り訂正の実質的に同じロバスト性を提供する。
【００５１】
第二の受信機２５４は、第二のチャネルからセレクションマップデータ及び更なる不均等な誤り訂正データを含むエンハンスメントデータを受信する。第二の受信機は、第二のチャネルから第三の誤り訂正データを受ける。第二のチャネルは、第一のチャネルとは異なる。
【００５２】
第一の誤り訂正ユニット２５６は、第三の誤り訂正データを使用してエンハンスメントデータを誤り訂正する。第二の誤り訂正ユニット２５８は、更なる不均等な誤り訂正データを使用してセレクションマップデータに従って標準的なデータストリームの部分の第一の誤り訂正を提供する。第三の誤り訂正ユニット２６０は、一様な誤り訂正データを使用して符号化されたマルチメディアデータの第二の誤り訂正を提供する。デコーダ２６２は、（第一及び第二の誤り訂正の後に）符号化されたマルチメディアデータを復号化された（未処理の）マルチメディアデータに変換する。送信機２６４は、データの第一及び第二の誤り訂正の後に復号化されたマルチメディアデータを出力する。
【００５３】
図１０は、本発明の方法の特定の例示的な実施の形態を説明するフローチャートである。ステップ３０２では、未処理のマルチメディアデータが提供される。未処理“ｒａｗ”とは、データが未だ符号化されていないことを意味する。未処理のデータは、カメラ及びマイクロフォンのようなデータ捕捉装置から供給されるか、又は、マルチメディアを供給するための他の公知の方法が使用される場合がある。未処理データは、アナログ又はデジタルデータである場合がある。ステップ３０４では、マルチメディアデータは、符号化されたマルチメディアデータを提供するために符号化される。ＭＰＥＧ符号化は、ビデオを圧縮するために使用される場合がある。本発明で使用することができるマルチメディアデータを符号化するための多くの数の現在使用及び提案される方法がある。符号化は、アナログマルチメディアデータをデジタル化することを含む場合がある。ステップ３０６では、一様な誤り訂正データが生成される。一様な誤り訂正データは、符号化されたマルチメディアデータを誤り訂正するために有効である。一様な誤り訂正データは、符号化されたマルチメディアデータの全ての部分について誤り訂正の実質的に同じロバスト性を提供する。ステップ３０８では、連続的な標準的な伝送フレームの標準的なマルチメディアデータストリームが生成される。それぞれの標準的なフレームは、符号化されたマルチメディアの固定されたサイズの部分を含み、一様な誤り訂正データの固定されたサイズの部分がこれに続く。
【００５４】
ステップ３１０では、標準的なマルチメディアデータストリームのあるストリーム部分が選択され、そのマルチメディアデータストリームの他のストリーム部分は選択されない。選択は、マルチメディアデータのプレゼンテーションの品質に対するストリーム部分に含まれるデータのタイプの重要性に依存する。ステップ３１２では、どのストリームが選択されたかを示すセレクションマップデータが生成される。ステップ３１４では、それぞれ選択されたストリーム部分について更なる不均等な誤り訂正データが生成され、選択されなかった他のストリーム部分については生成されない。したがって、更なる不均等な誤り訂正データは、標準的なストリームの更に重要な部分について提供される。
【００５５】
ステップ３１６では、第三の誤り訂正データは、エンハンスメントデータを誤り訂正するために生成される。エンハンスメントデータは、セレクションマップデータ及び更なる不均等の誤り訂正データを含んでいる。第三の誤り訂正データは、エンハンスメントデータの全ての部分について実質的な同じ一様な誤り訂正を提供する。ステップ３１８では、固定されたサイズのエンハンスメント伝送フレームのエンハンスメントデータストリームが生成され、それぞれのエンハンスメント伝送フレームは、エンハンスメントデータの固定されたサイズの部分、及び一様な誤り訂正データの固定されたサイズの部分を含む。
【００５６】
ステップ３２０では、標準的なマルチメディアデータストリームは、媒体の第一のチャネルで伝送される。ステップ３２２では、エンハンスメントデータストリームは、同じ又は異なる媒体の第二のチャネルで伝送される。第二のチャネルは、第一のチャネルとは異なるチャネルである。
【００５７】
ステップ３２４では、標準的なマルチメディアストリームは、第一のチャネルから受信される。ステップ３２６では、エンハンスメントデータストリームは、第二のチャネルから受信される。ステップ３２８では、エンハンスメントデータは、エンハンスメントデータストリームの第三の誤り訂正データを使用して誤り訂正される。ステップ３３０では、選択されたストリーム部分は、更なる不均等な誤り訂正データを使用してセレクションマップデータに従って誤り訂正される。ステップ３３２では、全ての符号化されたマルチメディアデータ部分は、一様な誤り訂正データを使用して誤り訂正される。
【００５８】
本発明は、特定の例示的な実施の形態に関して先に記載される。当業者であれば、本発明の範囲にあるこれら例示的な実施の形態をどのように変更するかを理解されるであろう。本発明は、特許請求の範囲によってのみ制限される。
【図面の簡単な説明】
【００５９】
【図１】本発明のマルチメディア送信機の例示的な実施の形態を示す図である。
【図２】例示的な標準的なマルチメディアデータストリームの部分１２０を例示する図である。
【図３】パケットを誤り訂正する一様な誤り訂正データがインタリーブされる４つの標準的なフレームの例示的なグループを例示する図である。
【図４】図４ａは本発明における標準的なマルチメディアデータストリームの４つの標準的な伝送フレームのグループにおける部分の選択の例を例示する図である。図４ｂは図４ａの選択された部分のセレクションマップデータの第一の例示的な実施の形態を例示する図である。図４ｃは本発明の不均等な誤り訂正データの第一の例示的な実施の形態を例示する図である。図４ｄはセレクションマップデータが生成された標準的なストリームの部分の順序に関してセレクションマップデータがインタリーブされる、本発明のセレクションマップデータの別の例示的な実施の形態を例示する図である。図４ｅは不均等な誤り訂正データが生成された標準的なストリームの部分の順序に関して不均等な誤り訂正データがインタリーブされる、本発明の不均等な誤り訂正データの別の例示的な実施の形態を例示する図である。
【図５】本発明のエンハンスメント伝送フレームの例示的な実施の形態を例示する図である。
【図６】図６ａはセレクションマップデータと不均等な誤り訂正マップデータを、図４ａに示される標準的な伝送フレームのグループのためのエンハンスメント伝送フレームのグループのエンハンスメントデータ伝送部分への編成に関する第一の例示的な実施の形態を説明する図である。図６ｂはセレクションマップデータと更なる不均等な誤り訂正データを、図４ａに示される標準的な伝送フレームのグループのエンハンスメント伝送フレームのグループのエンハンスメントデータ伝送部分への編成に関する第一の例示的な実施の形態を説明する図である。
【図７】本発明のマルチメディア送信機の更に詳細な例示的な実施の形態を説明する図である。
【図８】本発明のマルチメディア受信機の例示的な実施の形態を示す図である。
【図９】本発明のマルチメディア受信機の更に詳細な実施の形態を例示する図である。
【図１０】本発明の方法の例示的な実施の形態を説明するフローチャートである。
【図１】
2007507966.tif 000003
【図２】
2007507966.tif 000004
【図３】
2007507966.tif 000005
【図４ａ】
2007507966.tif 000006
【図４ｂ】
2007507966.tif 000007
【図４ｃ】
2007507966.tif 000008
【図４ｄ】
2007507966.tif 000009
【図４ｅ】
2007507966.tif 000010
【図５】
2007507966.tif 000011
【図６ａ】
2007507966.tif 000012
【図６ｂ】
2007507966.tif 000013
【図７】
2007507966.tif 000014
【図８】
2007507966.tif 000015
【図９】
2007507966.tif 000016
【図１０】
2007507966.tif 000017
【国際調査報告】
2007507966.tif 000018
2007507966.tif 000019
2007507966.tif 000020